(57)【要約】【課題】  光ディスクへのデータ記録方法のうちインクリメンタル記録モードをミニマルブランクディスクに適用するデータ記録方法を提供する。【解決手段】  本発明は、光ディスクに部分的にデータを記録するインクリメンタル記録方法であり、（ａ）前記光ディスクがフォーマットされているか否かを判断し、前記光ディスクがフォーマットされていない前記光ディスクにデータを記録する段階２０１，２０２と、（ｂ）前記データを記録した後に、ディスク情報が記録された記録管理領域にてディスク状態情報を確認する段階２０３，２０４と、（ｃ）前記ディスク状態情報の確認結果、前記光ディスクが記録管理領域からリードイン領域までデータが削除された特定ブランクディスクと確認された場合、次のデータが記録されるアドレスから一定ブロックまで記録されたデータを削除する段階２０５，２０６とを含むデータ記録方法である。【選択図】  図２
2004310987.tif 000002
【特許請求の範囲】
【請求項１】
光ディスクに部分的にデータを記録するインクリメンタル記録方法であり、
（ａ）前記光ディスクがフォーマットされているか否かを判断し、前記光ディスクがフォーマットされていない前記光ディスクにデータを記録する段階と、
（ｂ）前記データを記録した後に、ディスク情報が記録された記録管理領域にてディスク状態情報を確認する段階と、
（ｃ）前記ディスク状態情報の確認結果、前記光ディスクが記録管理領域からリードイン領域までデータが削除された特定ブランクディスクと確認された場合、次のデータが記録されるアドレスから一定ブロックまで記録されたデータを削除する段階と
を含むデータ記録方法。
【請求項２】
前記光ディスクがフォーマットされている場合、記録エラーメッセージを出力する段階をさらに含むことを特徴とする請求項１に記載のデータ記録方法。
【請求項３】
前記（ｃ）段階にて、
前記ディスク状態情報の確認結果、前記光ディスクが記録管理領域からリードアウト領域までデータが削除された特定ブランクディスクと確認された場合、次のアドレスからデータを記録することを特徴とする請求項１に記載のデータ記録方法。
【請求項４】
インクリメンタルモードにて部分的に光ディスク上にデータを記録する方法を具現するための処理命令と共に符号化されたコンピュータ判読可能媒体を動作させる方法であり、
（ａ）前記光ディスクがフォーマットされているか否かを判断し、前記光ディスクがフォーマットされていない前記光ディスクにデータを記録する段階と、
（ｂ）前記データを記録した後に、ディスク情報が記録された記録管理領域にてディスク状態情報を確認する段階と、
（ｃ）前記ディスク状態情報の確認結果、前記光ディスクが記録管理領域から所定ブロックまで前記光ディスクがミニマルブランクディスクと確認された場合、記録管理領域からリードイン領域まで記録されたデータを削除する段階と
をさらに含むデータ記録方法。
【請求項５】
インクリメンタルモードにて部分的に光ディスク上にデータを記録する方法であり、
（ａ）前記光ディスクがフォーマットされているか否かを判断する段階と、
（ｂ）前記光ディスクがフォーマットされていないディスクと判断されれば、所望の位置で前記光ディスクに部分的にデータを記録する段階と、
（ｃ）部分的にデータを記録した後に前記光ディスクがフルブランクディスクなのかミニマルブランクディスクなのかをチェックする段階と、
（ｄ）前記光ディスクがミニマルブランクディスクと確認された場合、エラーが記録されたり判読された光ディスクの一部分からデータを削除する段階と、
（ｅ）前記光ディスク上に所望の位置まで残ったデータを記録する段階と
を含むデータ記録方法。
【請求項６】
前記（ｃ）段階にて前記光ディスクがフルブランクディスクなのかミニマルブランクディスクなのかを判断するために記録管理領域をチェックすることを特徴とする請求項５に記載のデータ記録方法。
【請求項７】
前記（ｄ）段階にて次のデータが記録されるアドレスから一定ブロックまで記録されたデータを削除することを特徴とする請求項５に記載のデータ記録方法。
【請求項８】
前記光ディスクがフォーマットされている場合、記録エラーメッセージを出力する段階をさらに含むことを特徴とする請求項５に記載のデータ記録方法。
【請求項９】
前記光ディスクがミニマルブランクディスクと判断された後、次のアドレスからデータを記録する段階をさらに含むことを特徴とする請求項５に記載のデータ記録方法。
【請求項１０】
インクリメンタルモードにてミニマルブランク光ディスク上にデータを記録する装置であり、
信号に応答して前記光ディスクの望ましい部分に第１データを記録するか、エラーが記録されたり判読された光ディスクの一部分からデータを削除するデータ削除／記録部と、
前記光ディスクがフォーマットされているか否かを判断し、前記光ディスクがフォーマットされていない場合、前記光ディスクに第１データを部分的に記録するために前記データ削除／記録部に信号を出力し、前記光ディスクがフルブランクディスクなのかミニマルブランクディスクなのかを判断する制御部と
を含み、
前記データ削除／記録部が前記光ディスクに部分的にデータを記録した後、前記制御部が前記光ディスクをミニマルブランクディスクと判断した場合、エラーが記録されたり判読された光ディスクの一部分から第２データを削除するために前記データ削除／記録部に信号を出力し、前記光ディスクがフルブランクディスクと判断されたり前記第２データが削除された後に前記残った第１データを記録するために前記データ削除／記録部に信号を出力することを特徴とするデータ記録装置。
【請求項１１】
前記ディスクの望ましい部分は記録開始アドレスとして予定された部分であり、前記第２データが削除される前記ディスクの一部分は次のデータが記録されるアドレスから一定ブロックまでであることを特徴とする請求項１０に記載のデータ記録装置。
【請求項１２】
前記制御部は前記光ディスクがフォーマットされているか否かを判断するために前記光ディスクの記録管理領域のフィールド０に記録された値をチェックすることを特徴とする請求項１０に記載のデータ記録装置。
【請求項１３】
前記第２データは次の記録アドレスから１ ＥＣＣブロックのデータであることを特徴とする請求項１０に記載のデータ記録装置。
【発明の詳細な説明】
【技術分野】
【０００１】
本発明は光ディスクにデータを記録する方法に係り、さらに詳細には光ディスクにデータを記録する方法のうちインクリメンタル記録モードをミニマルブランクディスク（Minimal Blank Disk）に適用するデータ記録方法に関する。
【背景技術】
【０００２】
ＤＶＤ−ＲＷ光ディスクの記録モードはブランク（削除）モード、フォーマットモード及び記録モードに区分される。第一に、ブランクモードはディスクに記録されたデータを削除したりディスクを初期化する時に使われるモードである。ＤＶＤ−ＲＷ光ディスクの場合、大きくフルブランク（Full Blank）モードとミニマルブランク（Minimal Blank）モードとに区分される。フルブランクモードは光ディスクのＲＭＡ（Recording Management Area）から光ディスクの端まで記録されたデータを削除することを言い、ミニマルブランクモードは光ディスクのＲＭＡからリードイン領域まで削除することを言う。第二に、フォーマットモードは記録ツールに依存せずに、オーバーライト（上書き）及び自在に再生／記録を可能にするモードである。第三に、記録モードは一般データを光ディスクに記録する普通の作業モードである。記録モードはシーケンシャル（Sequential）モード及びリストリクティッドオーバーライト（Restricted Overwrite）モードに区分される。シーケンシャルモードはさらにインクリメンタル記録モードとＤＡＯ（Disc At Once）記録モードとに区分される。インクリメンタル記録モードは光ディスクに部分的にデータを記録する時に使われるモードであり、ＤＡＯ記録モードは光ディスク完成を目的に全体にデータを記録するモードである。
【０００３】
シーケンシャル記録モードはフォーマットされていないディスクにデータを記録する方法であり、リストリクティッドオーバーライトモードはフォーマットされている光ディスクにデータを記録する時に使用する方法である。シーケンシャル記録モードについて述べれば、新しいディスクやフルブランクディスクはインクリメンタル記録を適用できるが、ミニマルブランクディスクはインクリメンタル記録を適用できずにＤＡＯ記録以外に適用できない。
【０００４】
このようなデータ記録方式は特許文献１に記載されている。
【０００５】
図１は従来のインクリメンタル記録モードによるデータ記録方法の動作を示すフローチャートであり、光ディスクがフォーマットされずに（１００段階）、光ディスクがフルブランク状態である場合（１０１段階）、光ディスクにデータ記録が可能である（１０２段階）。しかし、光ディスクがフォーマットされているかディスクがフルブランク状態ではない場合、記録エラーを表示する。
【０００６】
すなわち、部分的にデータを記録／保管できるようにするインクリメンタル記録モードを利用しようとするなら、新しい光ディスクを使用するか、一回以上データが記録された光ディスクを完全に削除（フルブランク）しなければならない。ＤＶＤ−ＲＷ４．７ＧＢ基準でミニマルブランクを行うのにかかる時間は２分ほどならば十分であるが、フルブランクを行うのにかかる時間は１時間ほどかかる（ＤＶＤ−ＲＷ１倍速基準）。言い換えれば、インクリメンタル記録モードを利用するためには光ディスクを新しく購入するか、１時間ほどかかるフルブランクを行わなければならないということである。一般的にＤＶＤ−ＲＷ光ディスクでの大きなメリットがユーザが自由にボーダーを分けて使って削除できるようにする機能であるが、このような時間的制約によりユーザに不便さをもたらす。
【特許文献１】米国特許６，４８３，７９９号公報
【発明の開示】
【発明が解決しようとする課題】
【０００７】
本発明の技術的な課題は、光ディスクへのデータ記録方法のうち部分的にデータを記録／保管できるようにするインクリメンタル記録を光ディスクのＲＭＡからリードイン領域まで削除されたミニマルブランクディスクに適用するデータ記録方法を提供するところにある。
【課題を解決するための手段】
【０００８】
本発明の技術的な課題を解決するためのデータ記録方法は、光ディスクに部分的にデータを記録するインクリメンタル記録方法であり、（ａ）前記光ディスクがフォーマットされているか否かを判断し、前記光ディスクがフォーマットされていない前記光ディスクにデータを記録する段階と、（ｂ）前記データを記録した後に、ディスク情報が記録された記録管理領域にてディスク状態情報を確認する段階と、（ｃ）前記ディスク状態情報の確認結果、前記光ディスクが記録管理領域からリードイン領域までデータが削除された特定ブランクディスクと確認された場合、次のデータが記録されるアドレスから一定ブロックまで記録されたデータを削除する段階とを含むことが望ましい。
【０００９】
本発明において、前記（ａ）段階にて前記光ディスクがフォーマットされている場合、記録エラーメッセージを出力することを特徴とする。
【００１０】
本発明において、前記（ｃ）段階にて前記ディスク状態情報の確認結果、前記光ディスクが記録管理領域からリードアウト領域までデータが削除された特定ブランクディスクと確認された場合、次のアドレスからデータを記録することを特徴とする。
【発明の効果】
【００１１】
本発明によれば、インクリメンタル記録モードをミニマルブランクディスクに適用することによりユーザに便利さを提供する効果が奏される。
【発明を実施するための最良の形態】
【００１２】
以下、添付された図面を参照して本発明を詳細に説明する。
【００１３】
図２は本発明による記録方法の動作を示すフローチャートであり、光ディスクがフォーマットされているか否かを確認する段階（２００）、記録エラーを表示する段階（２０１）、部分的にディスクにデータを記録する段階（２０２）、ディスクにデータ記録を終了する段階（２０３）、ディスクのＲＭＡフィールド０でディスクの状態を確認する段階（２０４）、光ディスクがフルブランク状態であるか否かを確認する段階（２０５）、次の記録アドレス(ＮＷＡ:Next Writable Address）から１ ＥＣＣブロックを削除する段階（２０６）より構成される。
【００１４】
次に、図２を参照して本発明を詳細に説明する。
【００１５】
部分的にデータを記録／保管できるようにするインクリメンタル記録モードを利用しようとするなら、新しい光ディスクを使用するか、一回以上データが記録された光ディスクを完全に削除しなければならない。
【００１６】
ミニマルブランク状態にされている光ディスクに対してインクリメンタル記録ができないように制約を加えた理由はどこにも明示されていないが、次の二つと推測される。
【００１７】
第一に、インクリメンタル記録モードで光ディスクにデータを記録れば、次のデータを追加する時、ＮＷＡを探す過程で過去に記録されているボーダー領域とデータ混線が発生しうる。
【００１８】
第二に、インクリメンタル記録モードで光ディスクにデータを記録すれば、記録領域とボーダーとが偶然に一致する場合が生じる。
【００１９】
従って、前記二つの理由でミニマルブランク状態にされている光ディスクに対してインクリメンタル記録ができないので、これを解決するための方法を説明する。
【００２０】
データ記録方法はプログラム化されてメモリ（図示せず）に保存されており、制御部（図示せず）がメモリのプログラムをアクセスして実行する。
【００２１】
シーケンシャル記録モードにて制御部は現在装着された光ディスクがフォーマットされているか否かを確認する（２００段階）。シーケンシャル記録モードはフォーマットされていないディスクにデータを記録する方法である。
【００２２】
シーケンシャル記録モードにて現在装着された光ディスクがフォーマットされている場合、制御部は記録エラーを表示する（２０１段階）。
【００２３】
シーケンシャル記録モードにて現在装着された光ディスクがフォーマットされていない場合、光ディスクがブランク状態にされているか否かに関係なく部分的にデータを記録する（２０２段階）。
【００２４】
所望の位置までデータ記録が完了すれば（２０３段階）、光ディスクへのデータ記録を終了して光ディスクのＲＭＡフィールド０でディスクの状態、すなわちブランク状態にされているか否かを確認する（２０４段階）。ＤＶＤ光ディスクは大きく３つの領域に分けられる。第一に、機械的なクランピングのための領域、第二に、適正記録パワーを探すために使われるＰＣＡ（Power Calibration Area）及びディスク情報を保存するＲＭＡを含む記録情報領域、そして第三に、実質的なデータが記録されるリードイン領域、データ記録領域、リードアウト領域を含む情報領域に分けられる。このうち、光ディスクの状態情報、すなわちブランクにされているか否かの判断情報はＲＭＡのフィールド０に保存されている。
【００２５】
ＲＭＡのフィールド０を確認して光ディスクがフルブランク状態であるか否かを確認する（２０５段階）。光ディスクの状態情報、すなわちブランクにされているか否かの判断情報はＲＭＡのフィールド０に保存されており、ＲＭＡのフィールド０に「０４」という値が指定されている場合、この光ディスクはミニマルブランク光ディスクとなる。ＲＭＡのフィールド０を確認して光ディスクがフルブランク状態である場合、続いて所望の部分までデータを記録する。
【００２６】
しかし、ＲＭＡのフィールド０に「０４」という値が指定されて光ディスクがミニマルブランク状態と確認されれば、制御部はＮＷＡから１ ＥＣＣブロック（１６セクタ）のデータを削除する（２０６段階）。その理由はインクリメンタル記録モードでミニマルブランク光ディスクにデータを記録すれば、次のデータを追加する時、ＮＷＡを探す過程で過去に記録されているボーダー領域とデータ混線が発生し、またはデータ記録領域とボーダーとが偶然に一致する場合が生じることを除去するためにＮＷＡから１ ＥＣＣブロックのデータを削除したのである。すなわち、ミニマルブランク光ディスクでもインクリメンタル記録モードを円滑に行えるようにするためである。
【００２７】
ＮＷＡから１ ＥＣＣブロックのデータが削除されれば、続けて所望の部分までデータを記録する。
【００２８】
本発明は前述の実施例に限定されずに本発明の思想内で当業者による変形が可能であることはもちろんである。
【産業上の利用可能性】
【００２９】
本発明のデータ記録方法によれば、インクリメンタル記録モードをミニマルブランクディスクに適用することによりデータ管理を順次行える。
【図面の簡単な説明】
【００３０】
【図１】従来のインクリメンタル記録モードによるデータ記録方法の動作を示すフローチャートである。
【図２】本発明による記録方法の動作を示すフローチャートである。
【図１】
2004310987.tif 000003
【図２】
2004310987.tif 000004